(57)【要約】  携帯用超音波ミスト発生装置において、温度センサ１８によって超音波振動子３の温度が検出され、温度センサ１８の検出信号にもとづき、制御装置２０によって発振回路７の発振信号が制御されることにより、超音波振動子３の温度が変化しても、それに関係なく、ミスト１３の噴出量を一定に保つものである。
2010041309.tif 000002
【特許請求の範囲】
【請求項１】
液体収容タンクと、
前記タンクの底面に設けられた超音波振動子と、
前記超音波振動子に接続された増幅器と、
前記増幅器に接続され、発振信号を送り、前記発振信号によって前記超音波振動子を振動させ、超音波を発振させ、前記超音波によって前記タンクの液体を振動させ、その液面から液柱を噴出させ、前記液柱によってミストを発生させる発振回路と、
前記タンクに接続され、前記ミストを噴出させるノズルと、
前記超音波振動子の温度を間接的に検出する温度センサと、
前記発振回路および温度センサに接続され、前記温度センサの検出信号にもとづき、前記発振信号を制御し、前記ミストの噴出量を一定に保つ制御装置とからなる携帯用超音波ミスト発生装置。
【請求項２】
放熱板を前記超音波振動子付近に配置し、前記温度センサを前記放熱板に取り付け、前記温度センサによって前記放熱板の温度を検出し、前記超音波振動子の温度を間接的に検出するようにしたことを特徴とする請求項１に記載の装置。
【請求項３】
前記超音波振動子付近において、前記温度センサを前記タンク内に配置し、前記温度センサによって前記液体の温度を検出し、前記超音波振動子の温度を間接的に検出するようにしたことを特徴とする請求項１に記載の装置。
【発明の詳細な説明】
【技術分野】
【０００１】
この発明は、携帯用超音波ミスト発生装置に関するものである。
【背景技術】
【０００２】
本願出願前、出願人は新しい形式の携帯用超音波ミスト発生装置を開発し、提案した。特開２００５−１１１３２８号公報（特許文献１）および特開２００６−１４２１１９号公報（特許文献２）に記載されているものがそれである。【０００３】
各公報の装置では、超音波振動子がタンクの底面に設けられる。さらに、発振回路が増幅器に接続され、増幅器が超音波振動子に接続され、発振回路によって発振信号が送られ、発振信号によって超音波振動子が振動し、超音波が発振される。したがって、超音波によってタンクの液体が振動し、その液面から液柱が噴出し、液柱によってミストが発生する。さらに、ノズルがタンクに接続され、ノズルからミストが噴出する。したがって、たとえば、この装置を美顔術に使用し、ミストを顔に吹き付け、皮膚に吸収させることができる。【０００４】
この場合、ミストの噴出量を一定に保つことが要求される。ミストの噴出量に関係するものは超音波振動子の振幅であり、発振回路の発振信号である。発振信号のエネルギーが大きいほど超音波振動子の振幅が大きく、ミストの噴出量も大きく、発振信号のエネルギーが小さいほど超音波振動子の振幅が小さく、ミストの噴出量も小さい。したがって、発振信号のエネルギーを一定に保つと、ミストの噴出量も一定に保たれるはずであるが、問題は超音波振動子の温度である。たとえば、超音波振動子が振動すると、それによって超音波振動子が発熱し、その温度が上昇する。そして、温度が高いほど超音波振動子は振動しやすい。したがって、超音波振動子の温度が上昇すると、それによって超音波振動子の振幅が増大し、ミストの噴出量も増大する。反対に、超音波振動子の温度が低下すると、それによって超音波振動子の振幅が減少し、ミストの噴出量も減少する。このため、発振信号のエネルギーを一定に保っても、ミストの噴出量を一定に保つことができないという問題があったものである。【０００５】
したがって、この発明は、携帯用超音波ミスト発生装置において、超音波振動子の温度が変化しても、それに関係なく、ミストの噴出量を一定に保つことを目的としてなされたものである。
【特許文献１】特開２００５−１１１３２８号公報
【特許文献２】特開２００６−１４２１１９号公報
【発明の開示】
【０００６】
この発明によれば、超音波振動子がタンクの底面に設けられることは上記公報のものと同様である。さらに、発振回路が増幅器に接続され、増幅器が超音波振動子に接続され、発振回路によって発振信号が送られ、発振信号によって超音波振動子が振動し、超音波が発振される。したがって、超音波によってタンクの液体が振動し、その液面から液柱が噴出し、液柱によってミストが発生する。さらに、ノズルがタンクに接続され、ノズルからミストが噴出する。
【０００７】
さらに、この発明によれば、温度センサによって超音波振動子の温度が検出される。超音波振動子の温度は間接的に検出される。さらに、制御装置が発振回路および温度センサに接続され、温度センサの検出信号にもとづき、制御装置によって発振回路の発振信号が制御され、ミストの噴出量が一定に保たれる。
【０００８】
好ましい実施例では、放熱板が超音波振動子付近に配置され、温度センサが放熱板に取り付けられる。したがって、温度センサによって放熱板の温度が検出され、超音波振動子の温度が間接的に検出される。
【０００９】
他の実施例では、超音波振動子付近において、温度センサがタンク内に配置され、温度センサによって液体の温度が検出され、超音波振動子の温度が間接的に検出される。
【図面の簡単な説明】
【００１０】
【図１】この発明の実施例を示す説明図である。
【図２】他の実施例を示す説明図である。
【符号の説明】
【００１１】
２  液体収容タンク
３  超音波振動子
５，６  液体
７  発振回路
１０  超音波
１１  液面
１２  液柱
１３  ミスト
１４  ノズル
１８  温度センサ
１９  放熱板
２０  制御装置
【発明を実施するための最良の形態】
【００１２】
以下、この発明の実施例を説明する。【００１３】
図１はこの発明にかかる携帯用超音波ミスト発生装置を示す。この装置はケース１、液体収容タンク２および超音波振動子３を有する。ケース１は片手で握り、持つことができる大きさのものである。タンク２はケース１の上部に内蔵されており、超音波振動子３はタンク２の底面に設けられている。この実施例では、タンク２に透過膜４が設けられ、タンク２が上部と下部に分割され、超音波振動子３は下部の底面に設けられている。さらに、タンク２の下部に液体５が充填され、透過膜４によってそれが封入されており、タンク２の上部に液体６が導入される。液体５，６は水からなる。透過膜４は樹脂製の薄膜シートからなる。【００１４】
さらに、発振回路７が電源回路８および増幅器９に接続され、増幅器９が超音波振動子３に接続されており、発振回路７によって発振信号が送られ、発振信号によって超音波振動子３が振動し、超音波１０が発振される。増幅器９は発振信号を増幅するためのもので、パワートランジスタからなる。したがって、超音波１０によってタンク２の液体５，６が振動し、その液面１１から液柱１２が噴出し、液柱１２によってミスト１３が発生する。【００１５】
さらに、ノズル１４がケース１の上端に設けられ、ファン１５がケース１の下部に設けられており、ノズル１４は流路１６およびタンク２に接続されている。さらに、ファン１５とタンク２間に流路１７が形成されており、ファン１５によってエアが送られ、これが流路１７を通り、タンク２に導かれる。したがって、エアによってミスト１３が送られ、これが流路１６を通り、ノズル１４からミスト１３が噴出する。したがって、たとえば、この装置を美顔術に使用し、ミスト１３を顔に吹き付け、皮膚に吸収させることができる。【００１６】
さらに、この装置では、温度センサ１８によって超音波振動子３の温度が検出される。超音波振動子３の温度は間接的に検出される。この実施例では、放熱板１９が超音波振動子３付近に配置され、温度センサ１８が放熱板１９に取り付けられている。放熱板１９は超音波振動子３の熱を放出するためのものである。そして、タンク２の底面において、その中央部分が下方に突出し、突出部分の下端に超音波振動子３が設けられ、放熱板１９の中央部分に貫通孔が形成され、その貫通孔がタンク２の突出部分にはめ合わされている。さらに、突出部分のまわりにおいて、放熱板１９がタンク２の底面に向かって押し上げられ、タンク２の底面に押し付けられており、温度センサ１８が放熱板１９に貼り付けられ、取り付けられている。したがって、温度センサ１８によって放熱板１９の温度が検出され、超音波振動子３の温度が間接的に検出される。【００１７】
さらに、制御装置２０が発振回路７、電源回路８および温度センサ１８に接続されており、温度センサ１８の検出信号にもとづき、制御装置２０によって発振回路７の発振信号が制御され、ミスト１３の発生量および噴出量が一定に保たれる。たとえば、超音波振動子３が振動すると、それによって超音波振動子３が発熱し、その温度が上昇するが、温度センサ１８によってそれが検出され、その検出信号にもとづき、制御装置２０によって発振回路７の発振信号が制御され、そのエネルギーが減少する。したがって、超音波振動子３の温度が上昇しても、それによって超音波振動子３の振幅は増大せず、ミスト１３の発生量および噴出量は増大しない。反対に、超音波振動子３の温度が低下すると、温度センサ１８によってそれが検出され、その検出信号にもとづき、制御装置２０によって発振回路７の発振信号が制御され、そのエネルギーが増大する。したがって、超音波振動子３の温度が低下しても、それによって超音波振動子３の振幅は減少せず、ミスト１３の発生量および噴出量は減少しない。この結果、ミスト１３の噴出量を一定に保つことができるものである。制御装置２０はコンピュータからなり、発振回路７の発振信号が制御されるとき、その制御はプログラム制御である。【００１８】
したがって、この装置の場合、ミストを顔に吹き付け、皮膚に吸収させるとき、超音波振動子３の温度が変化しても、それに関係なく、ミスト１３の噴出量が一定に保たれ、好ましい。さらに、温度センサ１８を超音波振動子３に貼り付けると、温度センサ１８および接着剤が超音波振動子３の振動に影響するという問題があるが、この装置の場合、温度センサ１８が放熱板１９に貼り付けられ、取り付けられ、超音波振動子３の温度が間接的に検出されることは前述したとおりである。したがって、温度センサ１８および接着剤が超音波振動子３の振動に影響することもない。【００１９】
図２は他の実施例を示す。この実施例では、超音波振動子３付近において、温度センサ１８がタンク２内に配置され、その壁面に貼り付けられ、取り付けられている。したがって、温度センサ１８によって液体５の温度を検出し、超音波振動子３の温度を間接的に検出することができる。さらに、制御装置２０が発振回路７および温度センサ１８に接続されている。したがって、温度センサ１８の検出信号にもとづき、制御装置２０によって発振回路７の発振信号を制御し、ミスト１３の噴出量を一定に保つことができる。温度センサ１８および接着剤が超音波振動子３の振動に影響することもない。【００２０】
この装置を美顔術ではなく、他の目的に使用することも考えられる。たとえば、液体５に薬剤を使用し、ミストに金属イオンや薬効成分を含ませ、これを皮膚に吸収させ、医用目的に使用することも考えられる。
【図１】
2010041309.tif 000003
【図２】
2010041309.tif 000004
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
液体収容タンクと、
前記タンクの底面を下方に突出して形成された突出部分と、
前記タンクの突出部分の下端に設けられた超音波振動子と、
貫通孔を有し、前記貫通孔を通じて前記タンクの突出部分にはめ合わされ、前記タンクの底面に取り付けられた放熱板と、
前記超音波振動子に接続された増幅器と、
前記増幅器に接続され、発振信号を送り、前記発振信号によって前記超音波振動子を振動させ、超音波を発振させ、前記超音波によって前記タンクの液体を振動させ、その液面から液柱を噴出させ、前記液柱によってミストを発生させる発振回路と、
前記タンクに接続され、前記ミストを噴出させるノズルと、
前記放熱板に取り付けられ、前記放熱板の温度を検出することで、前記超音波振動子の温度を間接的に検出する温度センサと、
前記発振回路および温度センサに接続され、前記温度センサの検出信号にもとづき、前記発振信号を制御し、前記ミストの噴出量を一定に保つ制御装置とからなる携帯用超音波ミスト発生装置。
【請求項２】
前記タンクは、透過膜を介して上部及び下部に分割されており、前記タンクの下部は、前記透過膜によって前記液体が封入されており、前記タンクの上部は、前記液体が導入されるようにしたことを特徴とする請求項１に記載の装置。
【国際調査報告】
2010041309.tif 000005
2010041309.tif 000006
2010041309.tif 000007
2010041309.tif 000008